(57)【要約】      （修正有）【課題】耐衝撃性、耐熱性、耐水性、耐磨耗性に優れた天板を提供する。【解決手段】天板に用いる板材であって、パーティクルボードでなる芯材１と、前記芯材の木口と同一の断面を有し前記木口に貼付けられ前記芯材の平面方向に延びて前記芯材の外縁を構成する耐衝撃性を備えた補強材２，３と、前記芯材のおもて面と前記芯材の外縁の末端を被覆する耐衝撃性を備えた頂面化粧板４と、前記補強材が構成する外縁の側面を被覆する耐衝撃性を備えた側面化粧板５と、からなり、前記補強材２，３及び前記頂面化粧板４と前記側面化粧板５がメラミン樹脂板でなる板材によって、課題を解決する。ダイニング家具のみならず家の家具全体にデザイン上の統一を与えることが容易となる。厨房台天板とダイニングテーブルの天板にデザイン上の統一を施し、ダイニングテーブルにビルドインのＩＨクッキングヒーターを取り付けることができる。【選択図】図１
2009291430.tif 000002
【特許請求の範囲】
【請求項１】
天板に用いる板材であって、
パネル状の芯材と、
前記芯材の木口と同一の断面を有し前記木口に貼付けられ前記芯材の平面方向に延びて前記芯材の外縁を構成する耐衝撃性を備えた補強材と、
前記芯材のおもて面と前記芯材の外縁の末端を被覆する耐衝撃性を備えた頂面化粧板と、
前記補強材が構成する外縁の側面を被覆する耐衝撃性を備えた側面化粧板と、
からなる板材。
【請求項２】
前記芯材がパーティクルボードでなり、
前記補強材及び前記頂面化粧板と前記側面化粧板がメラミン樹脂板でなり、
前記補強材が平面方向に延びる長さが７．５ｍｍ以内であることを特徴とする請求項１に記載の板材。
【発明の詳細な説明】
【技術分野】
【０００１】
本発明は、主にシステムキッチンに採用される、天板の木口部分の構造に関する。
【背景技術】
【０００２】
従来、キッチン天板の素材として、図７及び図８に示す通り、パーティクルボード（３１，３３）を芯材に、表面にメラミン樹脂等の化粧板（３２，３４）を張り付けたものがあった（例えば、特許文献１及び２参照）。
【０００３】
また、従来、芯材にパーティクルボードを用い表面に化粧板を施した板材において、芯材のパーティクルボードへの水の浸透を防止する構成を備えるものもあった。この既知の板材では、表面（上層）と縁材との接合部の直下位置に微細間隙を気密的に遮蔽するシール材を設けて、水の浸透を防止している（特許文献３参照）。
【特許文献１】実開平５−１３２４６公報
【特許文献２】特開２００３−１０２５７８公報
【特許文献３】特開昭６１−１５４６０９公報
【発明の開示】
【発明が解決しようとする課題】
【０００４】
パーティクルボードは、加工性、軽量性に優れるが、吸水性が高い。また、メラミン樹脂は耐衝撃性、耐熱性、耐水性、耐摩耗性に優れる。そこで、キッチン天板として、パーティクルボードを芯材にし、メラミン樹脂等の化粧板を外表面に張り付けたものがよく用いられている。この場合のメラミン樹脂化粧板の厚みは０．８ｍｍ〜１．２ｍｍである。
【０００５】
このようなキッチン天板は、通常の刺激では破損しないが、外周側縁面に先鋭な物質が衝突する等して集中応力がかかった場合には、破損して部分的に欠落したり、表面が変形したり傷がついたりすることがあった。その結果、パーティクルボードが露出して吸水し、これにより天板が腐敗したり、膨潤によって表面の化粧板が剥離したり、反りが生じたり、亀裂が生じたりした。このような故障が生じた場合修復は困難なので、キッチンの美観と機能を再び得るには、天板全体を交換する必要があった。
【課題を解決するための手段】
【０００６】
請求項１では、天板に用いる板材であって、パネル状の芯材と、前記芯材の木口と同一の断面を有し前記木口に貼付けられ前記芯材の平面方向に延びて前記芯材の外縁を構成する耐衝撃性を備えた補強材と、前記芯材のおもて面と前記芯材の外縁の末端を被覆する耐衝撃性を備えた頂面化粧板と、前記補強材が構成する外縁の側面を被覆する耐衝撃性を備えた側面化粧板と、からなる板材によって課題を解決する。
【０００７】
天板の最も補強を施すべき部位は外縁部であるので、補強材を設ける場所は芯材の平面方向に延びる部分のみで足りる。芯材には、パーティクルボード、合板、合成樹脂板等の、成形容易な素材が用いられる。補強材には、メラミン樹脂等の耐衝撃性を備える素材が用いられる。頂面化粧板及び側面化粧板には、熱可塑性樹脂の板材（ポリエステル、ポリスチレンなど）や熱硬化性樹脂の板材（フェノール樹脂など）、アルミニウムやステンレス等の金属板も採用できる。
【０００８】
請求項２では、天板に用いる板材であって、パーティクルボードでなる芯材と、前記芯材の木口と同一の断面を有し前記木口に貼付けられ前記芯材の平面方向に延びて前記芯材の外縁を構成する耐衝撃性を備えた補強材と、前記芯材のおもて面と前記芯材の外縁の末端を被覆する耐衝撃性を備えた頂面化粧板と、前記補強材が構成する外縁の側面を被覆する耐衝撃性を備えた側面化粧板と、からなり、前記補強材及び前記頂面化粧板と前記側面化粧板がメラミン樹脂板でなる板材であって補強材が平面方向に延びる長さが７．５ｍｍ以内の板材によって課題を解決する。
【０００９】
芯材がパーティクルボード、補強材がメラミン樹脂板、頂面化粧板及び側面化粧板がメラミン樹脂板、である場合、補強材は７．５ｍｍの長さ分、設けてあれば十分に機能する。
【００１０】
補強材を、芯材の平面方向に３ｍｍ延びる構成とすることもできる。一枚１ｍｍの補強板を３枚用いて３ｍｍにしてもよいし、一枚１．５ｍｍの補強材を２枚用いてもよいし、一枚３ｍｍの補強材一枚を用いてもよい。メラミン樹脂板の枚数を少なくすれば、接着の工程が一つ減るので生産コストを低減することができる。厚さ１．５ｍｍのメラミン樹脂板は、現在最も普及しており安価で入手が容易であるので、この素材を用いることは、製造容易、製造コスト低減の効果がある。
【００１１】
化粧板を、芯材の表面と補強材と芯材の裏面にロールフォーミングによって貼付けられる構成にすることもできる。ロールフォーミングで貼り付けることにより、耐水性ある化粧板を、もっとも外層に、間隙なく貼ることができ、内層への水分の吸収のおそれがなくなる。
【発明の効果】
【００１２】
芯材と外層の化粧板の間の、外縁側壁のみに補強板を設ける、というごく単純な構成により、耐衝撃性が飛躍的に向上し、天板の破損、それに伴うパーティクルボード等の吸水性のよい素材の膨潤、腐敗、化粧板と芯材の剥離、といった事故を予防できる。
【００１３】
天板の最外層のメラミン樹脂板に傷がついた場合でも、耐水性に優れたメラミン樹脂板がさらに内装に存するため、破損部からの浸水を防止し、水分がパーティクルボードまで到達することがない。
【発明を実施するための最良の形態】
【００１４】
［実施例１］
実施例１の対象は、システムキッチンの厨房台の天板である。図５に破線で囲んで示すＡ、Ｂ、Ｃの部分がその例である。図１及び図２に示す通り、天板（７）は、パーティクルボードでなる芯材（１）の木口部分にメラミン樹脂板でなる２枚の補強部材（２，３）を重ねて貼り付ける。２枚のメラミン樹脂板はいずれも厚さ１．５ｍｍであり、２枚重ねることにより厚さは合計３ｍｍになる。補強部材（２，３）の外側に、さらにメラミン樹脂化粧板でなる側縁面化粧板（５）を貼り付ける。
【００１５】
補強部材としてメラミン樹脂板を用いるのは、メラミン樹脂板が耐衝撃性を備えているからである。１．５ｍｍのものを２枚用いるのは、現在、厚さ１．５ｍｍのメラミン樹脂板が市場で最も入手が容易で安価だからである。接着には合成ゴム系の接着剤を用いる。メラミン樹脂板の接着面をあらかじめサンドペーパーなどで荒らしておくことにより、接着強度を向上させることができる。
【００１６】
［実施例２］
実施例２の対象も、実施例１と同様、システムキッチンの厨房台の天板であり、木口部分の形状が丸みを帯びている場合の構造である。実施例２の天板（１５）を図３及び図４に示す。パーティクルボードでなる芯材（１１）を所望の形状に加工する。芯材（１１）の上部には、補強板（１２）の厚みに応じた切欠き（１６）が設けてある。補強部材（１２）はメラミン樹脂でなる。切欠き（１６）から木口の底面に渡って補強板（１２）をロールフォーミングによって接着する。芯材（１１）と補強部材（１２）の外周に、従来と同様、補強部材（１４）をロールフォーミングによって接着する。木口部分の形状が丸みを帯びている場合には、生産工程を一つ減じることの効果は大であるので、補強部材としてのメラミン樹脂板は１枚である。求められる耐衝撃性に応じてメラミン樹脂板の厚さを決める。
【００１７】
図５を参照して、本発明に係る天板は、厨房台（２０）の天板、ダイニングテーブル（２１）の天板、収納棚カウンター（２３）の天板、等、システムキッチンに組み込まれる各種家具の天板に用いることができる。一つのシステムキッチンにおいて、共通の天板を用いることは、システムキッチンのデザイン統一に極めて有効である。
【００１８】
メラミン樹脂化粧板は、耐水性、耐熱性と備えるため、厨房台の天板に広く用いられている。しかし、ダイニングテーブル、収納棚カウンターなどの天板として用いる場合を想定していなかった。このため、ユーザーがダイニングの家具を選択する際には、キッチンとは異なる素材を用いざるを得ず、デザイン上の統一に制約があった。しかし、近年、キッチンを、リビングダイニングスペースの一部としてその中央に設置するケースが増えており、キッチンとその周辺に配置されるダイニング家具の意匠を統一の要望が高い。
【００１９】
図５に示すように、本発明に係る天板を厨房台（２０）に限らず、ダイニングテーブル（２１）を始めとするダイニング家具にも使用し、さらに、天板の厚みや木口の化粧材を厨房台と同じものにすることにより、全体として統一感のあるデザインを施すことができる。
【００２０】
さらに、洗面化粧台、トイレカウンター、リビング家具の天板、腰壁天板、下足収納天板等にも、本願発明にかかる天板を用いることにより、家の中の家具全体を、ダイニング家具と統一したデザインにすることが容易になる。
【００２１】
本願発明に係る天板をダイニングテーブルに用いた場合、図５、図６に示す通り、ダイニングテーブル（２１）にＩＨヒーター（２５）を組み込むことができる。従来、ダイニングテーブルで食材を加熱したり保温したりする場合には、その都度、卓上型のガスコンロや室内のコンセントから電気を取ったプレートヒーターをテーブルに用意して使用している。ガスコンロでは室内空気を汚す原因となる点が問題であった。また、プレートヒーターは部屋の壁面のコンセントから電源を取らなければならず、コードがテーブルから壁面へと這う状態となり、景観が悪いことに加えコードに足を引っ掛ける等の危険があった。また、さらに、ガスコンロやプレートヒーターは、非使用時に収納場所が必要である。
【００２２】
そこで、ダイニングテーブルの天板（２１）に孔を開け、天板の裏側の骨材（２４）にビルトイン型ＩＨクッキングヒーターを組み込んで、ダイニングテーブルに取り付ける。電源コードが露出しないようにテーブル下の専用キャビネット内を配線経路とし、また、専用キャビネット部分にＡＣ１００Ｖのコンセントを設け、ダイニングテーブル上で使用する電化製品の電源を確保するようにする。これにより食材の加熱や保温をダイニングテーブル上で容易に行うことができる。
【図面の簡単な説明】
【００２３】
【図１】本発明の実施例１による天板の木口部分の構造を示す。
【図２】本発明の実施例１による天板の木口部分の構造を示す。
【図３】本発明の実施例２による天板の木口部分の構造を示す。
【図４】本発明の実施例２による天板の木口部分の構造を示す。
【図５】本発明による天板の使用例を示す。
【図６】本発明に実施例による天板の使用例を示す。
【図７】従来の天板の木口部分の構造を示す。
【図８】従来の天板の木口部分の構造を示す。
【符号の説明】
【００２４】
１  芯材
２  補強部材
３  補強部材
４  おもて面化粧板
５  側縁面化粧板
６  底面化粧板
７  天板
１１  芯材
１２  補強板
１４  化粧板
１５  天板
１６  切欠き
２０  厨房台
２１  ダイニングテーブル
２２  収納棚
２３  収納棚カウンター
２４  骨材
２５  ＩＨクッキングヒーター
【図１】
2009291430.tif 000003
【図２】
2009291430.tif 000004
【図３】
2009291430.tif 000005
【図４】
2009291430.tif 000006
【図５】
2009291430.tif 000007
【図６】
2009291430.tif 000008
【図７】
2009291430.tif 000009
【図８】
2009291430.tif 000010